(57)【要約】      （修正有）【課題】引戸に併設される引戸式の網戸に設置することにより網戸の防犯性を確保することができる網戸用警報装置を提供する。【解決手段】網戸用警報装置１００は、網戸２１０のスライド変位を検出する変位検出センサと、同変位検出センサによるスライド変位により警報を発するブザーと、制御部に電源を供給する電源部と、変位検出センサおよびブザーの作動を制御する制御部とを収容する本体部を備えている。この本体部の下面には、長手方向に沿って引き違い戸２００がスライド変位する引戸レール２０４を挿込可能な挿込部が形成されている。また、網戸用警報装置１００は、変位検出センサにおける磁界を変化させるための網戸側構成体１１１を備えている。網戸側構成体１１１は、平板の両端部に網戸２１０に引っ掛けるための折り曲げ可能な爪を備えている。【選択図】図５
0003160056.tif 000002
【実用新案登録請求の範囲】
【請求項１】
凸状のレール上を滑ってスライド変位することにより開口部が開閉される引戸に併設された引戸式の網戸のスライド変位を検出して警報する網戸用警報装置であって、
前記網戸のスライド変位を検出するための変位検出手段と、
前記変位検出手段による前記網戸のスライド変位の検出に基づいて警報を発する警報手段と、
少なくとも前記変位検出手段と前記警報手段とを有する本体部と、
前記本体部に設けられ、前記引戸が変位する前記レールが挿込み可能な凹状に形成された挿込部とを備えることを特徴とする網戸用警報装置。
【請求項２】
請求項１に記載した網戸用警報装置において、
前記変位検出手段は、
前記本体部側に設けられる本体部側構成体と前記引戸式網戸側に設けられる網戸側構成体とを備えており、
前記本体部側構成体は、前記網戸側構成体との相対的な位置関係の変化に基づいて前記引戸式網戸のスライド変位を検出し、
前記網戸側構成体は、前記網戸の網目に掛けられる爪部を備えることを特徴とする網戸用警報装置。
【請求項３】
請求項２に記載した網戸用警報装置において、
前記変位検出手段における前記網戸側構成体は、
前記爪部が、折り曲げ可能な素材で構成されていることを特徴とする網戸用警報装置。
【請求項４】
請求項２または請求項３に記載した網戸用警報装置において、
前記変位検出手段における前記本体部側構成体は、
前記本体部構成体と前記網戸側構成体との間の磁界の変化に基づいて前記網戸のスライド変位を検出することを特徴とする網戸用警報装置。
【請求項５】
請求項１ないし請求項４のうちのいずれか１つに記載した網戸用警報装置において、
前記警報手段は、ブザーで構成されていることを特徴とする網戸用警報装置。
【請求項６】
請求項１ないし請求項５のうちのいずれか１つに記載した網戸用警報装置において、
前記挿込部は、前記引戸が変位する前記レールに対して固定可能であることを特徴とする網戸用警報装置。
【考案の詳細な説明】
【技術分野】
【０００１】
本考案は、凸状のレール上を滑ってスライド変位することにより開口部が開閉される引戸に併設された引戸式の網戸が開けられた際に警報を発する網戸用警報装置に関する。
【背景技術】
【０００２】
従来から、建物内における屋外と屋内とを仕切る外壁面には、建物内への採光や通風を目的として開口部に開閉自在な引戸が設けられることがある。一般に、引戸は、開口部の底部上から凸状に突出したレール上を滑ってスライド変位する戸や窓で構成されている。このような引戸においては、建物内への採光や通風を確保しつつ主として虫の侵入を防止するために引戸式の網戸が引戸とともに設けられることがある。この引戸式の網戸とは、前記引戸と同様に、開口部の底部上から凸状に突出したレール上を滑ってスライド変位する形態の網戸である。
【０００３】
しかしながら、網戸は、引戸とは異なり施錠可能な構成となっていないことが多く、建物内から開閉可能であることは当然、屋外からも容易に開閉できるものである。したがって、網戸の使用時においては常に第三者の建物内への侵入が危惧されるため、網戸の使用に際しては網戸の状態を常に把握できる状態でなければ安心して使用できず網戸を使用できる状況が制限されるという問題があった。すなわち、引戸に併設される網戸は、使用時における第三者の侵入に対する防犯性が著しく低いという問題があった。
【０００４】
本考案は上記問題に対処するためなされたもので、その目的は、引戸に併設される引戸式の網戸、特に施錠機能を有しない網戸に設置することにより網戸の防犯性を確保することができる網戸用警報装置を提供することにある。
【０００５】
なお、下記特許文献１，２には、屋外から引き違い戸を開けた際に警報を発する引き違い戸用警報装置がそれぞれ提案されている。しかし、下記特許文献１に記載された引き違い戸用警報装置は、引き違い戸に押し付けられた状態で設置される構成のため、剛性の弱い網戸へ設置することができない。また、下記特許文献２に記載された引き違い戸用警報装置は、引き違い戸用警報装置を構成する警報装置本体および磁石をスライド可能に保持するレール体が粘着テープで戸枠およびガラス戸にそれぞれ貼り付け固定されている。このため、引き違い戸用警報装置が設置される引き違い戸が１つの引き違い戸に限定されてしまい他の引き違い戸に使いまわしすることが実質的にできず使い勝手が悪いとともに、磁石をスライド可能に保持するレール体を風雨に晒される網戸に長期間に亘って安定的に取り付けることが困難である。
【先行技術文献】
【特許文献】
【０００６】
【特許文献１】実開昭６０−２６５５８号公報
【特許文献２】特開２００７−８７３５３号公報
【考案の概要】
【０００７】
上記目的を達成するため、請求項１に係る本考案の特徴は、凸状のレール上を滑ってスライド変位することにより開口部が開閉される引戸に併設された引戸式の網戸のスライド変位を検出して警報する網戸用警報装置であって、網戸のスライド変位を検出するための変位検出手段と、変位検出手段による網戸のスライド変位の検出に基づいて警報を発する警報手段と、少なくとも変位検出手段と警報手段とを有する本体部と、本体部に設けられ、引戸が変位するレールが挿込み可能な凹状に形成された挿込部とを備えることにある。
【０００８】
このように構成した請求項１に係る本考案の特徴によれば、網戸用警報装置は、網戸のスライド変位を検出する変位検出手段と、同変位検出手段によるスライド変位により警報を発する警報手段とを備える本体部が、引戸がスライド変位するレールを挿し込み可能な挿込部を備えている。このため、網戸用警報装置の使用者は、網戸用警報装置を使用するに際しては、本体部に形成された挿込部内に引戸がスライド変位するレールを挿し込むことにより、網戸用警報装置をレール上に安定的かつ容易に設置することができる。これにより、屋外から網戸が開けた際に警報が発せられるため、引戸に併設される網戸の防犯性を確保することができる。すなわち、引戸に併設される網戸を安心して使用することができるとともに、網戸を使用できる機会を増やすことができる。
【０００９】
また、請求項２に係る本考案の他の特徴は、前記網戸用警報装置において、変位検出手段は、本体部側に設けられる本体部側構成体と引戸式網戸側に設けられる網戸側構成体とを備えており、本体部側構成体は、網戸側構成体との相対的な位置関係の変化に基づいて引戸式網戸のスライド変位を検出し、網戸側構成体は、網戸の網目に掛けられる爪部を備えることにある。
【００１０】
このように構成した請求項２に係る本考案の他の特徴によれば、網戸用警報装置は、変位検出手段が、本体部側に設けられる本体部側構成体と網戸側に設けられる網戸側構成体とで構成されている。この場合、本体部側構成体は、網戸側構成体との相対的な位置関係の変化に基づいて網戸のスライド変位を検出する。また、網戸側構成体は、網戸の網目に掛けられる爪部を備えている。すなわち、網戸用警報装置は、網戸のスライド変位を直接検出するのではなく、本体部側構成体と網戸に設けた網戸側構成体との相対的な位置関係の変化に基づいて網戸のスライド変位を検出するため、接触式および非接触式を問わず幅広い検出方法用いて網戸のスライド変位を精度良く検出することができる。例えば、網戸用警報装置における変位検出手段は、音波、磁気または光などを利用した各種センサを用いて網戸側構成体の変位を検出して網戸のスライド変位を検出することができる。また、これらの場合、網戸側構成体は、網戸に掛けることができる爪を備えている。これにより、網戸用警報装置の使用者は、網戸に対して網戸側構成体を容易かつ安定的に取り付けることができるとともに、容易に網戸側構成体を網戸から取り外すことができる。
【００１１】
また、請求項３に係る本考案の他の特徴は、前記網戸用警報装置において、変位検出手段における網戸側構成体は、爪部が、折り曲げ可能な素材で構成されていることにある。
【００１２】
このように構成した請求項３に係る本考案の他の特徴によれば、網戸用警報装置における変位検出手段を構成する網戸側構成体の爪は、折り曲げ可能な素材で構成されている。このため、使用者は、網戸側構成体を網戸に取り付ける際、爪を網戸の網目に通した後、同爪を折り曲げることにより網戸側構成体をより確実かつ安定的に網戸に取り付けることができる。
【００１３】
また、請求項４に係る本考案の他の特徴は、前記網戸用警報装置において、変位検出手段における本体部側構成体は、本体部構成体と網戸側構成体との間の磁界の変化に基づいて網戸のスライド変位を検出することにある。
【００１４】
このように構成した請求項４に係る本考案の他の特徴によれば、網戸用警報装置は、変位検出手段における本体部側構成体が、本体部構成体と網戸側構成体との間で生じさせた磁界の変化に基づいて網戸のスライド変位を検出する所謂磁気型近接センサで構成されている。これにより、網戸用警報装置を簡易かつ安価に構成することができる。
【００１５】
また、請求項５に係る本考案の他の特徴は、前記網戸用警報装置において、警報手段は、ブザーで構成されていることにある。
【００１６】
このように構成した請求項５に係る本考案の他の特徴によれば、網戸用警報装置は、警報手段が、ブザーで構成されている。このため、網戸用警報装置は、網戸が開かれた際、直ちに警報音を発することができ、網戸の周囲に居る者にいち早く網戸が開かれたことを知らせることができるとともに侵入者を威嚇し撃退することができる。
【００１７】
また、請求項６に係る本考案の他の特徴は、前記網戸用警報装置において、挿込部は、引戸が変位するレールに対して固定可能であることにある。
【００１８】
このように構成した請求項６に係る本考案の他の特徴によれば、網戸用警報装置は、挿込部が引戸が変位するレールに対して固定可能に構成されている。このため、網戸警報装置の本体部が固定されたレール上をスライド変位する引戸は、レール上に本体部が存在するためスライド変位することができない。すなわち、レール上に網戸用警報装置を固定することにより、屋外から引戸が開かれることを防止することができる。これにより、網戸用警報装置の防犯性能を際らに向上させることができる。
【図面の簡単な説明】
【００１９】
【図１】（Ａ），（Ｂ）は、本考案の一実施形態に係る網戸用警報装置の外観構成を概略的に示す斜視図であり、（Ａ）は網戸用警報装置を正面斜め左側から見た斜視図であり、（Ｂ）は網戸用警報装置を背面斜め右側から見た斜視図である。
【図２】（Ａ），（Ｂ）は、図１に示す網戸用警報装置の全体構成を模式的に示しており、（Ａ）は網戸用警報装置の正面図であり、（Ｂ）は網戸用警報装置の左側面図である。
【図３】図１に示す網戸用警報装置のシステム構成を示すブロック図である。
【図４】（Ａ），（Ｂ）は、本考案の一実施形態に係る網戸用警報装置を構成する網戸側用構成体の外観構成を概略的に示す斜視図であり、（Ａ）は網戸側用構成体における爪が折り曲げられていない状態を示す斜視図であり、（Ｂ）は網戸側用構成体における爪が折り曲げられた状態を示す斜視図である。
【図５】図１に示す網戸用警報装置と図４に示す網戸側構成体を網戸に設置した状態を示す部分斜視図である。
【図６】本考案の変形例に係る網戸用警報装置の左側面図である。
【考案を実施するための形態】
【００２０】
以下、本考案に係る網戸用警報装置の一実施形態について図面を参照しながら説明する。図１（Ａ），（Ｂ）は、本考案に係る網戸用警報装置１００の外観構成を概略的に示す斜視図であり、（Ａ）は網戸用警報装置１００を正面斜め左側から見た斜視図であり、（Ｂ）は網戸用警報装置１００を背面斜め右側から見た斜視図である。また、図２（Ａ），（Ｂ）は、本考案に係る網戸用警報装置１００の全体構成を模式的に示しており、（Ａ）は網戸用警報装置１００の正面図であり、（Ｂ）は網戸用警報装置１００の左側面図である。また、図３は、本考案に係る網戸用警報装置１００のシステム構成を示すブロック図である。なお、本明細書において参照する各図は、本考案の理解を容易にするために一部の構成要素を誇張して表わすなど模式的に表している。このため、各構成要素間の寸法や比率などは異なっていることがある。本実施形態に係る網戸用警報装置１００は、住宅などの建物の外壁面に設けられた引き違い窓に併設された引戸式の網戸が開けられたことを検出して警報するものである。
【００２１】
（網戸用警報装置１００の構成）
網戸用警報装置１００は、本体部１０１を備えている。本体部１０１は、網戸用警報装置１００の筐体を構成する箱状の部材であり、樹脂材を図示左右方向に延びる略直方体状に成形して構成されている。この本体部１０１は、一方の面が開放した箱状の収容部１０１ａと同収容部１０１ａの開放された面を覆う蓋体１０１ｂとから構成されている。収容部１０１ａは、本体部１０１、すなわち、網戸用警報装置１００を引き違い戸（図示せず）がスライド変位する引戸レール（図示せず）上で支持するとともに、変位検出センサ１１０、ブザー１２０、電源部１３０、制御部１４０およびスイッチ１５０を収容する部材である。収容部１０１ａに収容される変位検出センサ１１０、ブザー１２０、電源部１３０、制御部１４０およびスイッチ１５０のうちブザー１２０およびスイッチ１５０は、収容部１０１ａの図示正面および図示上面から露出した状態で収容されている。
【００２２】
この収容部１０１ａの図示底面中央部には、収容部１０１ａの長手方向に沿って貫通した状態で凹状の挿込部１０２が形成されている。挿込部１０２は、引戸（図示せず）がスライド変位する引戸レール（図示せず）が挿し込まれることにより本体部１０１（網戸用警報装置１００）を同引戸レール上で支持する部分であり、引戸レールの幅に対応する幅の溝形状に形成されている。この挿込部１０２の深さは、引戸レールの高さより短い深さに形成されているが、引戸レールの高さより長い深さで構成することも可能である。蓋体１０１ｂは、収容部１０１ａの開口面を覆う平板状の蓋部材であり、収容部１０１ａに対して着脱自在な状態で取り付けられている。この蓋体１０１ｂは、一部が開口しており、同開口部分から収容部１０１ａ内に収容された変位検出センサ１１０の検出部１１０ａが露出している。
【００２３】
変位検出センサ１１０は、制御部１４０によって作動が制御される所謂近接センサであり、引戸式の網戸（図示せず）のスライド変位を検出して同検出状態を表す電気信号からなる検出信号を出力する。本実施形態においては、変位検出センサ１１０は、磁気型近接センサで構成されている。磁気型近接センサは、磁界の変化に応じて抵抗値、電流値または電圧値などの電気的出力値が変化するように構成された検出器である。すなわち、本実施形態においては、変位検出センサ１１０は、磁界の変化によって抵抗値が変化する磁気抵抗素子を検出部１１０ａに用いた磁気型近接センサで構成されている。この変位検出センサ１１０は、検出部１１０ａと網戸側に設けられる導体からなる網戸側構成体１１１との相対的な位置関係の変化を網戸のスライド変位として検出して対応する検出信号を制御部１４０に出力する。なお、図２（Ｂ）においては、検出部１１０ａに対向する網戸側構成体１１１を二点鎖線で示している。
【００２４】
網戸側構成体１１１は、変位検出センサ１１０の検出部１１０ａの周囲に生じさせた磁界を変化させるための平板状の導体である。この網戸側構成体１１１は、折り曲げ可能な素材、具体的には、アルミニウム材で構成されるとともに、網戸に取り付け可能な形状に形成されている。具体的には、網戸側構成体１１１は、図４（Ａ）に示すように、図示左右方向に延びる略長方形状に形成された平板体の長手方向両端部が３つの凸部と２つの凹部とからなる凸凹状にそれぞれ形成されるとともに、同各３つの凸部が直角方向にそれぞれ折り曲げられて爪１１１ａを形成して構成されている。これらの爪１１１ａは、図４（Ｂ）に示すように、爪先部分がそれぞれ更に内側に折り曲げられることにより、網戸の網目に掛けられるようになっている。なお、網戸側構成体１１１は、折り曲げ可能な導体で構成されていれば良いが、耐候性を考慮して錆び難い素材、例えば、ステンレス材、銅材、真鍮材で構成すると良い。
【００２５】
ブザー１２０は、制御部１４０によって作動が制御されることにより警報音を発する発音装置である。具体的には、ブザー１２０は、変位検出センサ１１０が網戸（図示せず）のスライド変位を検出したとき、制御部１４０によって作動が制御されて警報音を発する。電源部１３０は、電源部１３０に対して着脱自在な一次電池（乾電池）から制御部１４０に対して電力を供給する電気回路で構成されている。
【００２６】
制御部１４０は、マイクロコンピュータで構成されており、図示しないプログラムを実行することにより変位検出センサ１１０およびブザー１２０の作動を制御する。具体的には、制御部１４０は、変位検出センサ１１０から出力される検出信号に基づいてブザー１２０から警報音を発生させる。この制御部１４０には、スイッチ１５０が接続されている。スイッチ１５０は、制御部１４０、すなわち、この網戸用警報装置１００の作動の開始および停止を操作するための電気的な開閉器であり、「電源入」側および「電源切」側に押下することにより網戸用警報装置１００の作動の開始および停止を操作することができる。なお、図２においては、変位検出センサ１１０、ブザー１２０、電源部１３０、制御部１４０は、本体部１０１内の配置位置に破線で示している。
【００２７】
（網戸用警報装置１００の作動）
次に、このように構成された網戸用警報装置１００の作動について説明する。本実施形態においては、図５に示すように、建物（図示せず）の外壁に形成された開口部に引き違い戸２００とともに併設された引戸式の網戸２１０に網戸用警報装置１００を設置する場合について説明する。引き違い戸２００は、屋外側に面した外側窓２０１と屋内側に面した内側窓２０２とが窓枠２０３の底部２０３ａ上から凸状に突出した引戸レール２０４，２０５上を滑ってスライド変位することにより開口部を開閉する窓である。また、網戸２１０は、引き違い戸２００における外側窓２０１の外側に配置された格子状の網を張った戸である。この網戸２１０は、引き違い戸２００と同様に、引戸レール２０４の外側に形成された引戸レール２０４，２０５と同様の図示しない引戸レール上を滑ってスライド変位することにより開口部を開閉する。
【００２８】
まず、網戸用警報装置１００の使用者は、監視対象となる網戸２１０に網戸用警報装置１００の網戸側構成体１１１を設置する。具体的には、使用者は、引き違い戸２００における網戸２１０に面した側の外側窓２０１をスライド変位させて開けるとともに、爪１１１ａの爪先部分が折り曲げられていない網戸側構成体１１１を用意する（図４（Ａ）参照）。次に、使用者は、網戸側構成体１１１の爪１１１ａを網戸２１０の内側面から網目内にそれぞれ挿入する。この場合、使用者は、網戸用警報装置１００を引戸レール２０４上に設置した場合における変位検出センサ１１０の検出部１１０ａに対向する網戸２１０の内側面上の位置に網戸１１１を位置決めした上で網戸側構成体１１１の爪１１１ａを網戸２１０の網目内にそれぞれ挿入する（図２（Ｂ）、図５参照）。
【００２９】
そして、使用者は、網戸２１０の外側面に貫通した各爪１１１ａを内側方向にそれぞれ折り曲げる（図４（Ｂ）参照）。なお、この場合、爪１１１ａを外側方向に折り曲げてもよいし、３つ爪１１１ａのうちの一部を折り曲げるようにしてもよい。これにより、網戸２１０の内側面に網戸側構成体１１１が取り付けられる。この場合、網戸側構成体１１１は、爪１１１ａが網目に掛かっているため、容易に外れることはない。
【００３０】
次に、使用者は、網戸用警報装置１００の本体部１０１を設置する。具体的には、使用者は、本体部１０１の下面に形成された挿込部１０２の溝内に引戸レール２０４を挿し込んで同引戸レール２０４上に本体部１０１を設置する。この場合、使用者は、本体部１０１の背面から露出した変位検出センサ１１０の検出部１１０ａが網戸２１０に設置した網戸側構成体１１１に対向するように網戸用警報装置１００を設置する。
【００３１】
次に、使用者は、網戸用警報装置１００の電源を入れて網戸２１０の監視を開始する。具体的には、使用者は、スイッチ１５０を「電源入」側に押下して制御部１４０の作動を開始させる。これにより、制御部１４０は、図示しない制御プログラムを実行することにより作動を開始する。具体的には、制御部１４０は、変位検出センサ１１０の作動を開始させて変位検出センサ１１０からの検出信号の入力を待つ。
【００３２】
網戸用警報装置１００による網戸２１０の監視状態において、網戸２１０が図示矢印方向に向ってスライド変位されて開けられた場合には、網戸２１０に取り付けられた網戸側構成体１１１と変位検出センサ１１０の検出部１１０ａとの位置関係が変化するため変位検出センサ１１０から検出信号が制御部１４０に出力される。すなわち、変位検出センサ１１０が、本考案に係る本体部側構成体に相当する。これにより、制御部１４０は、ブザー１２０の作動を制御して警報を発生させる。この結果、建物の内外を問わず網戸２１０の周囲に居る者に対して網戸２１０が開けられたことまたは何らかの異変が生じたことを報知することができるとともに、網戸２１０を開けた者（侵入者）を威嚇し撃退することができる。
【００３３】
また、網戸用警報装置１００による網戸２１０の監視状態において、外側窓２０１が閉まる側（図示矢印とは反対方向）にスライド変位された場合においても、前記同様に、外側窓２０４が閉まる側にスライド変位したことを報知することができる。すなわち、外側窓２０４が閉まる側にスライド変位された場合においても、網戸２１０に取り付けられた網戸側構成体１１１と変位検出センサ１１０の検出部１１０ａとの位置関係が変化するため変位検出センサ１１０から検出信号が制御部１４０に出力されてブザー１２０が警報を発する。したがって、網戸用警報装置１００は、外側窓２０１および内側窓２０２をスライド変位させて建物内に侵入することも防止することができる。なお、本実施形態においては、本体部１０１を引戸レール２０４上に設置したが、引戸レール２０５上においても引戸レール２０４と同様に設置することができる。
【００３４】
一方、網戸用警報装置１００による網戸２１０の監視状態を解除する場合には、使用者は、スイッチ１５０を「電源切」側に押下して制御部１４０の作動を停止させる。これにより、制御部１４０の作動が停止されるとともに変位検出センサ１１０の作動が停止されて網戸用警報装置１００による網戸２１０の監視状態を解除される。そして、使用者は、引戸レール２０４から本体部１０１を抜き取って引戸レール２０４上から本体部１０１を取り除いた後、外側窓２０４を閉める。なお、網戸用警報装置１００による網戸２１０の監視を再会する場合には、本体部１０１を引戸レール２０４上に設置してスイッチ１５０をＯＮにすればよい。すなわち、網戸側構成体１１１は、一旦、網戸２１０に取り付けた場合には、網戸用警報装置１００の使用の度ごとに取り付け取り外しを行なう必要はない。また、網戸側構成体１１１を複数の網戸２１０に予め取り付けておくことにより、１つの本体部１０１を複数の網戸２１０に対して使いまわして使用することができる。
【００３５】
上記作動説明からも理解できるように、上記実施形態によれば、網戸用警報装置１００は、網戸２１０のスライド変位を検出する変位検出センサ１１０と、同変位検出センサ１１０によるスライド変位により警報を発するブザー１２０とを備える本体部１０１が、引き違い戸２００がスライド変位する引戸レール２０４を挿込可能な挿込部１０２を備えている。このため、網戸用警報装置１００の使用者は、網戸用警報装置１００を使用するに際しては、本体部１０１に形成された挿込部１０２内に引き違い戸２００がスライド変位する引戸レール２０４を挿し込むことにより、網戸用警報装置１００を引戸レール２０４上に安定的かつ容易に設置することができる。これにより、屋外から網戸２１０が開けられた際に警報が発せられるため、引き違い戸２００に併設される網戸２１０の防犯性を高めることができる。すなわち、引き違い戸２００に併設される網戸２１０を安心して使用することができるとともに、網戸２１０を使用できる機会を増やすことができる。
【００３６】
さらに、本考案の実施にあたっては、上記実施形態に限定されるものではなく、本考案の目的を逸脱しない限りにおいて種々の変更が可能である。なお、下記に示す各変形例においては、上記実施形態における網戸用警報装置１００と同様の構成部分には同様の符号を付して、その説明は省略する。
【００３７】
例えば、上記実施形態においては、網戸２１０のスライド変位を検出する変位検出手段を変位検出センサ１１０および網戸側構成体１１１で構成した。しかし、変位検出手段は、網戸２１０のスライド変位を直接的または間接的に検出できる近接センサであれば、接触型および非接触型を問わず広く採用することができる。例えば、非接触型であれば、上記実施形態における磁気センサにおいても、電磁誘導式、静電容量式またはリードスイッチ式などを採用できるほか、磁気センサ以外でも超音波などを用いた音波式センサ、レーザ光や赤外線を用いた光学式センサを用いて網戸２１０のスライド変位を検出することができる。また、これらの場合、網戸側構成体１１１は、本体部１０１側に設けられる変位検出センサ１１０（本体側構成体）に応じた材質および形状で構成される。なお、本体部１０１側に設けられる変位検出センサ１１０（本体側構成体）の種類や網戸２１０の構成態様によっては、網戸側構成体１１１が不要とすることもできる。
【００３８】
また、上記実施形態においては、警報を発する警報手段としてブザー１２０を用いた。しかし、警報手段は、警報を発するものであれば、広く採用することができる。例えば、警報として光を発するＬＥＤや回転灯の発光装置であってもよいし、遠隔地に警報情報を発信する通信装置であってもよい。また、これらを組み合わせたもので警報手段を構成してもよい。
【００３９】
また、上記実施形態においては、網戸側構成体１１１は、網戸側構成体１１１の両端部にそれぞれ３つずつの爪１１１ａを備えて構成されている。しかし、網戸側構成体１１１は、網戸２１０に取り付けることができる構成であれば良く、爪部１１１ａの形状、形成位置、形成数および形成素材は、上記実施形態に限定されるものではない。例えば、爪部１１１ａを網戸側構成体１１１の上端部に下方に屈曲した状態で形成することもできる。これによれば、網戸側構成体１１１は、網戸２１０の網目からぶら下がった状態で取り付けられる。また、この場合、爪部１１１ａは折り曲げが困難な素材（換言すれば剛性のある素材）で固形的に形成されていてもよい。さらに、また、爪部１１１ａ以外の方法で網戸側構成体１１１を網戸２１０に取り付けることもできる。例えば、２枚の磁石で網戸側構成体１１１を構成することにより、網戸２１０の内側と外側とから網戸２１０の網部を挟んで網戸側構成体１１１を網戸２１０に取り付けることもできる。
【００４０】
また、上記実施形態においては、本体部１０１を引戸レール２０４上に設置するための挿込部１０２を本体部１０１の下面の全面に形成した。しかし、挿込部１０２は、本体部１０１を引戸レール２０４上に設置可能であれば、上記実施形態に限定されるものではない。例えば、挿込部１０２を本体部１０１の下面の長手方向両端部側または中央部に部分的に形成することもできる。また、挿込部１０２は、挿込部１０２に相当する溝形状物を本体部１０１とは別体で形成した後、本体部１０１に取り付けて構成することもできる。また、挿込部１０２の溝幅を、挿込部１０２の底部（図示上部）に向って次第に溝幅が狭くなるように形成することもできる。これによれば、引戸レール２０４の幅が異なる複数種類の引戸レール２０４に本体部１０１を設置することができる。
【００４１】
また、上記実施形態においては、本体部１０１は、引戸レール２０４に対して摺動可能な状態で挿し込まれて設置されている。しかし、本体部１０１は、引戸レール２０４に対して固定的に設置するようにしてもよい。例えば、図６に示すように、挿込部１１１内に挿込部１１１の幅方向に変位可能な押圧体１０３を設ける。押圧体１０３は、挿込部１０２内に沿って延びる平板状の押圧プレート１０３ａと、同押圧プレート１０３ａの中央部に接続された雄ネジ１０３ｂとで構成されている。雄ネジ１０３ｂは、本体部１０１の下部を幅方向に貫通して形成された図示しない雌ネジと噛合っている。
【００４２】
したがって、使用者は、挿込部１０２を引戸レール２０４に挿し込んだ後、雄ネジ１０３ｂを回動操作することにより押圧プレート１０３ａと同押圧プレート１０３ａに対向する挿込部１０２の壁面とで引戸レール２０４を挟むことにより本体部１０１を引戸レール２０４に固定的に設置することができる。これによれば、外側窓２０１をスライド変位させる際、外側窓２０１と固定的に設置された本体部１０１とが干渉するため、外側窓２０１のスライド変位を物理的に阻止することができる。そして、この場合、敢えて外側窓２０１をスライド変位させれば、本体部１０１が引戸レール２０４上をスライド変位するため、ブザー１２０が作動して警報が発せられる。これらの結果、網戸用警報装置１００の防犯性能を際らに向上させることができる。
【００４３】
また、上記実施形態においては、網戸用警報装置１００を外側窓２０１および内側窓２０２で構成された引き違い戸２００に併設された網戸２１０に設置する例について説明した。しかし、網戸用警報装置１００は、凸状に形成された引戸レール上をスライド変位することにより開口部が開閉さえる窓や戸で構成される引戸に併設される網戸２１０に広く適用できるものである。また、これらの場合、施錠機能を有する網戸２１０に対しても使用することができる。
【符号の説明】
【００４４】
１００…網戸用警報装置、１０１…本体部、１０１ａ…収容部、１０１ｂ…蓋体、１０２…挿込部、１０３…押圧体、１０３ａ…押圧プレート、１０３ｂ…雄ネジ、
１１０…変位検出センサ、１１０ａ…検出部、
１２０…ブザー、
１３０…電源部、
１４０…制御部、
１５０…スイッチ、
２００…引き違い戸、２０１…外側窓、２０２…内側窓、２０３…窓枠、２０４，２０５…引戸レール、
２１０…網戸。
【図１】
0003160056.tif 000003
【図２】
0003160056.tif 000004
【図３】
0003160056.tif 000005
【図４】
0003160056.tif 000006
【図５】
0003160056.tif 000007
【図６】
0003160056.tif 000008